(57)【要約】      （修正有）【課題】市販されているペット食器は、大半が器だけの単体である。そして、食器の蓋は、殆ど仮の蓋に見合うものを載せているのが現実である。見栄えも悪く、非常に不衛生である。保管を考えた場合、余りにも保存機能が備わっていないものである。【解決手段】本発明は、食器（１）と蓋（２）を一体化する上で、ただ蓋をするだけではなく回転式開閉ロック部（３）（４）にて交互左右に回転させロック施錠ができることで保存性、携帯性に効果を高め、更に衛生的な食器となった。【選択図】図５
2006271260.tif 000002
【特許請求の範囲】
【請求項１】
食器に蓋が付き、双方に回転式開閉ロック部を有し、それを交互左右に回転させロック施錠ができ、逆に回転させロック解除すると蓋の再利用ができることを特徴とする蓋付ペット用食器である。
【発明の詳細な説明】
【技術分野】
【０００１】
本発明は、食器に蓋が付き、食器と蓋に回転式開閉ロック部が付いたペット食器に関する。
【背景技術】
【０００２】
市販されているペット食器は、食器単体である。そして、実際の使用状態を観ると、床下に食器が設置されたものが殆どである。飼い主等が床を歩き回り埃等が舞い上がって、ペットはとっても不衛生な状況で、食事をしているのが現状である。
【０００３】
ペットが食べ残した場合でも、そのまま置き去りになって不衛生な状況が継続するだけである。仮に蓋をしても代用品でするため、これまた見栄えが悪く、不衛生な状態は余り改善できない。
【０００４】
現状の食器では、ペットが食事をする所で食器を使用するのが常である。食物を入れてそれを持ち運ぶことまで、あまり考慮されていない。
【０００５】
この改善策として、蓋付食器にするには、人間が使う食器では使い勝手がいま一つである。そして、ある程度の保存性、携帯性を考えたものでないと使用に耐えないと考えた。
【発明の開示】
【発明が解決しようとする課題】
【０００６】
解決しようとする問題点は、市販されているペット食器は、大半が器だけの単体である。そして、食器の蓋は、殆ど仮の蓋に見合うものを載せているのが現実である。見栄えも悪く、非常に不衛生である。保管を考えた場合、余りにも保存機能が備わっていないものである。さらに携帯性に乏しい。
【課題を解決するための手段】
【０００７】
本発明は、食器（１）と蓋（２）を一体化する上で、ただ蓋をするだけではなく回転式開閉ロック部（３）（４）にて交互左右に回転させロック施錠ができることで保存性、携帯性に効果を高め、更に衛生的な食器となった。
【発明の効果】
【０００８】
本発明の蓋（２）は、食器（１）と蓋（２）の回転式開閉ロック部（３）（４）を交互左右に回転させロック解除して分離すると、本来の蓋としての役割と、裏返して蓋の再利用にて水飲み食器等にも代用できるように利用範囲を拡大させた。
【０００９】
更に、蓋（２）は、食器（１）と蓋（２）の回転式開閉ロック部（３）（４）を交互左右に回転させロック施錠すると、蓋としての使用時、透明容器にすることで、食器（１）の内容状態を判断できる。
【００１０】
食器（１）と蓋（２）の開閉も簡素化した回転式開閉ロック部（３）（４）を交互左右に回転させロック施錠、またはロック解除することで、利便性、保存性、携帯性が向上した。
【発明を実施するための最良の形態】
【００１１】
以下、本発明の実施の形態を図面に基づき詳細に説明する。
【実施例１】
【００１２】
ペットが、食事を食べ残したり、食べなかったとき、飼い主は、図５及び図６のように食器（１）に蓋（２）をして、回転式開閉ロック部（３）（４）を交互左右に回転させロック施錠することで衛生的な状況が保てる。更に他の場所で食事するところまで持ち運びが出来る。そして、ペットが食事を欲しがるとき回転式開閉ロック部（３）（４）を、前述の逆に交互左右に回転させロック解除して、蓋（２）をとってやることで食事ができる。
【実施例２】
【００１３】
食器（１）と、蓋（２）を同時に使用する場合、回転式開閉ロック部（３）（４）を上述のように交互左右に回転させロック解除して、食器（１）はペットの食物入れ、蓋（２）は裏返すと水飲み入れ、またはそれ以外の食物を入れることにも使用できる。
【００１４】
以上、本発明の実施の形態及び実施例を説明したが、本発明の使用範囲はこれらに限定されるものではない。状況に応じて適宜使用されるものである。
【産業上の利用可能性】
【００１５】
本発明は、食器（１）に蓋（２）が付き、食器（１）と蓋（２）に回転式開閉ロック部（３）（４）を有したことで、ペットの食事の場所を限定しない衛生的な蓋付ペット食器である。
【図面の簡単な説明】
【００１６】
【図１】本発明の食器の正面図である。
【図２】本発明の食器の平面図である。
【図３】本発明の蓋の正面図である。
【図４】本発明の蓋の平面図である。
【図５】本発明の蓋と食器を接合した正面図である。網目部分は、蓋の部分である。
【図６】本発明の蓋と食器を接合した平面図である。網目部分は、蓋の部分である。
【図７】図５の回転式開閉ロック部の拡大正面図である。網目部分は、蓋の部分である。
【図８】図６の回転式開閉ロック部の拡大平面図である。網目部分は、蓋の部分である。
【図９】図６、図８のＡ−Ａ拡大断面図である。
【図１０】図６、図８のＢ−Ｂ拡大断面図である。
【符号の説明】
【００１７】
１    食器
２    蓋
３    食器の回転式開閉ロック部
４    蓋の回転式開閉ロック部
【図１】
2006271260.tif 000003
【図２】
2006271260.tif 000004
【図３】
2006271260.tif 000005
【図４】
2006271260.tif 000006
【図５】
2006271260.tif 000007
【図６】
2006271260.tif 000008
【図７】
2006271260.tif 000009
【図８】
2006271260.tif 000010
【図９】
2006271260.tif 000011
【図１０】
2006271260.tif 000012
【手続補正書】
【提出日】平成17年6月17日(2005.6.17)
【手続補正１】
【補正対象書類名】特許請求の範囲
【補正対象項目名】請求項１
【補正方法】変更
【補正の内容】
【請求項１】
食器（１）に蓋（２）が付き、双方に回転式開閉ロック部（３）（４）を有し、それを交互左右に回転させロック施錠ができ、逆に回転させロック解除すると蓋（２）の再利用ができることを特徴とする蓋付ペット用食器である。
【手続補正２】
【補正対象書類名】明細書
【補正対象項目名】０００２
【補正方法】変更
【補正の内容】
【０００２】
市販されているペット食器は、食器単体である。そして、実際の使用状態を観ると、床上に食器が設置されたものが殆どである。飼い主等が床を歩き回り埃等が舞い上がって、ペットはとっても不衛生な状況で、食事をしているのが現状である。
【手続補正３】
【補正対象書類名】明細書
【補正対象項目名】００１６
【補正方法】変更
【補正の内容】
【００１６】
【図１】本発明の食器の正面図である。
【図２】本発明の食器の平面図である。
【図３】本発明の蓋の正面図である。
【図４】本発明の蓋の平面図である。
【図５】本発明の蓋と食器を接合した正面図である。網目部分は、蓋の部分である。
【図６】本発明の蓋と食器を接合した平面図である。網目部分は、蓋の部分である。
【図７】図５の回転式開閉ロック部の拡大正面図である。網目部分は、蓋の部分である。
【図８】図６の回転式開閉ロック部の拡大平面図である。網目部分は、蓋の部分である。
【図９】図６、図８のＡ−Ａ拡大断面図である。
【図１０】図６、図８のＢ−Ｂ拡大断面図である。
【図１１】本発明の蓋と食器の斜視図である。
【手続補正４】
【補正対象書類名】図面
【補正対象項目名】全図
【補正方法】変更
【補正の内容】
【図１】
2006271260.tif 000013
【図２】
2006271260.tif 000014
【図３】
2006271260.tif 000015
【図４】
2006271260.tif 000016
【図５】
2006271260.tif 000017
【図６】
2006271260.tif 000018
【図７】
2006271260.tif 000019
【図８】
2006271260.tif 000020
【図９】
2006271260.tif 000021
【図１０】
2006271260.tif 000022
【図１１】
2006271260.tif 000023